(57)【要約】【課題】カラー表示を行うにあたり、最大反射率を低下させずに、かつ、良好な色再現性を維持することができる情報表示用パネルを提供する。【解決手段】少なくとも一方が透明な２枚の基板間の隔壁により形成されたセル内に帯電性粒子を含んだ粒子群を表示媒体として封入し、２枚の基板の各々に設けた互いに対向直交するライン電極に電圧を印加することで表示媒体に電界を付与することによって、表示媒体を移動させて画像等の情報を表示する情報表示用パネルにおいて、４色のカラー表示手段を用いて１表示単位を構成してカラー表示をするにあたり、４色のカラー表示手段を２行２列に配置して１ドットを構成し、１セル内に４色のカラー表示手段を配置するとともに、１セル内において、走査電極と直角な方向にはカラー表示手段隣接箇所が１箇所以下とする。【選択図】図３
2009115974.tif 000002
【特許請求の範囲】
【請求項１】
少なくとも一方が透明な２枚の基板間の隔壁により形成されたセル内に帯電性粒子を含んだ粒子群を表示媒体として封入し、２枚の基板の各々に設けた互いに対向直交するライン電極に電圧を印加することで表示媒体に電界を付与することによって、表示媒体を移動させて画像等の情報を表示する情報表示用パネルにおいて、４色のカラー表示手段を用いて１表示単位を構成してカラー表示をするにあたり、４色のカラー表示手段を２行２列に配置して１ドットを構成し、１セル内に４色のカラー表示手段を配置するとともに、１セル内において、走査電極と直角な方向にはカラー表示手段隣接箇所が１箇所以下としたことを特徴とする情報表示用パネル。
【請求項２】
４色のカラー表示手段が、４色のカラーフィルターと４色のカラーフィルターの各別に対応して封入された互いに帯電極性が異なる白色表示媒体および黒色表示媒体とを協働させて、カラー表示を行うことを特徴とする請求項１に記載の情報表示用パネル。
【請求項３】
４色のカラーフィルターを、赤（Ｒ）、緑（Ｇ）、青（Ｂ）、無色（Ｔ）のフィルター、または、シアン（Ｃ）、マゼンタ（Ｍ）、黄（Ｙ）、無色（Ｔ）のフィルター、または、赤（Ｒ）、青（Ｂ）、シアン（Ｃ）、黄（Ｙ）のフィルター、または、赤（Ｒ）、緑（Ｇ）、シアン（Ｃ）、黄（Ｙ）のフィルターから構成したことを特徴とする請求項２に記載の情報表示用パネル。
【請求項４】
４色カラー表示手段が、４種類のカラー表示媒体セットで構成され、
該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、
カラー表示媒体セットのそれぞれにおいて帯電極性の異なる２色のカラー表示媒体を協働させてカラー表示を行うことを特徴とする請求項１に記載の情報表示用パネル。
【請求項５】
白色表示媒体および黒色表示媒体以外のカラー表示媒体を、赤（Ｒ）、緑（Ｇ）、青（Ｂ）のカラー表示媒体、または、シアン（Ｃ）、マゼンタ（Ｍ）、黄（Ｙ）のカラー表示媒体、から構成したことを特徴とする請求項４に記載の情報表示用パネル。
【発明の詳細な説明】
【技術分野】
【０００１】
本発明は、少なくとも一方が透明な２枚の基板間の隔壁により形成されたセル内に帯電性粒子を含んだ粒子群を表示媒体として封入し、２枚の基板の各々に設けた互いに対向直交するライン電極に電圧を印加することで表示媒体に電界を付与することによって、表示媒体を移動させて画像等の情報を表示する情報表示用パネルに関するものである。
【背景技術】
【０００２】
従来、少なくとも一方が透明な２枚の基板間の隔壁により形成されたセル内に帯電性粒子を含んだ粒子群を表示媒体として封入し、２枚の基板の各々に設けた互いに直交するライン電極に電圧を印加することで表示媒体に電界を付与することによって、表示媒体を移動させて画像等の情報を表示する情報表示用パネルにおいて、白色表示媒体（白色粒子群）と黒色表示媒体（黒色粒子群）とを組み合わせた表示媒体セット４つと４色のカラーフィルターを用いて１表示単位を構成してカラー表示をするにあたり、各セルに４色のカラーフィルターの各々を配置する、すなわち各セルに対応して１色のカラーフィルターを配置する（以下、１個／１セルとも記載する）例や、１セルに対応して４色のカラーフィルターを全て配置する（以下、４個／１セルとも記載する）の例が知られている（例えば、特許文献１参照）。
【０００３】
また、ＲＧＢＫ（Ｗ）（赤、緑、青、黒（白））あるいはＹＭＣＫ（Ｗ）（イエロー、マゼンタ、シアン、ブラック（ホワイト））の４色のカラー表示媒体と、それらとは帯電極性が異なる白色のカラー表示媒体または黒色のカラー表示媒体とを組合せた表示媒体セットを、各セルに対応して配置する（以下、１個／１セルとも記載する）例や、１セルに対応した４ピクセルにそれぞれ４つの表示媒体セットを配置する（以下、４個／１セルとも記載する）例も知られている（例えば、特許文献２参照）。
【０００４】
【特許文献１】特開２００７−１５６４４４号公報
【特許文献２】特開２００７−１７１６５０号公報
【発明の開示】
【発明が解決しようとする課題】
【０００５】
上述した従来のカラーフィルターを用いてカラー表示を可能にした情報表示用パネルでは、図１５に示すような、各セル５１に対応して４色のカラーフィルターを各別に配置する１個／１セルの例では、各色のカラーフィルター毎にセル５１を形成する隔壁５４が存在するため、最大反射率が下がってしまう問題があった。なお、図１５において、５２は表示面側のライン電極、５３は表示面側のライン電極５２と直交して設けられた背面側のライン電極、である。
【０００６】
また、図１６に示すような、赤（Ｒ）、緑（Ｇ）、青（Ｂ）、無色（Ｔ）の４色のカラーフィルター全てを１つのセル５１に対応して配置した４個／１セルの例では、最大反射率の問題は発生しないが、１つのセル５１内を自由に移動可能に表示媒体が充填される構造であるため、表示媒体が各色の表示に均一に寄与することが難しく、表示媒体の色が各色毎に異なることとなり、その結果、色再現性が悪くなる問題があった。なお、図１６において、５２は表示面側のライン電極、５３は表示面側のライン電極５２と直交して設けられた背面側のライン電極、５４はセル５１を形成する隔壁、である。
【０００７】
さらに、上述したカラーフィルターを用いた例における問題点は、そのまま２色のカラー表示媒体の組み合わせ（表示媒体セット）を４つ用いてカラー表示を行う従来例（図１７、図１８）においても問題となっていた。
【０００８】
本発明の目的は上述した問題点を解消して、カラー表示を行うにあたり、最大反射率を低下させずに、かつ、良好な色再現性を維持することができる情報表示用パネルを提供しようとするものである。
【課題を解決するための手段】
【０００９】
本発明の情報表示用パネルは、少なくとも一方が透明な２枚の基板間の隔壁により形成されたセル内に帯電性粒子を含んだ粒子群を表示媒体として封入し、２枚の基板の各々に設けた互いに直交するライン電極に電圧を印加することで表示媒体に電界を付与することによって、表示媒体を移動させて画像等の情報を表示する情報表示用パネルにおいて、４色のカラー表示手段を２行２列に配置して１表示単位を構成してカラー表示をするにあたり、４色のカラー表示手段を２行２列に配置して１ドットを構成し、１セル内に４色のカラー表示手段を配置するとともに、１セル内において、走査電極と直角な方向にはカラー表示手段隣接箇所が１箇所以下としたことを特徴とするものである。
【００１０】
本発明の情報表示用パネルの好適例としては、４色のカラー表示手段が、４色のカラーフィルターと４色のカラーフィルターの各別に対応して封入された互いに帯電極性が異なる白色表示媒体および黒色表示媒体とを協働させて、カラー表示を行うこと、４色のカラーフィルターを、赤（Ｒ）、緑（Ｇ）、青（Ｂ）、無色（Ｔ）のフィルター、または、シアン（Ｃ）、マゼンタ（Ｍ）、黄（Ｙ）、無色（Ｔ）のフィルター、または、赤（Ｒ）、青（Ｂ）、シアン（Ｃ）、黄（Ｙ）のフィルター、または、赤（Ｒ）、緑（Ｇ）、シアン（Ｃ）、黄（Ｙ）のフィルターから構成したこと、がある。
【００１１】
なお、上記本発明の好適例において、「１セル内に４色のカラーフィルターを配置した」とは、１セルを構成する表示面側基板の内側に４色のカラーフィルターを配置する例や、１セルを構成する表示面側基板の外側に４色のカラーフィルターを配置する例、さらに、１セルを構成する表示面側基板の外側に、１セルに対応して４色のカラーフィルターが配置できるよう構成したカラーフィルター基板を貼り合わせる例などを含む概念を示している。
【００１２】
本発明の情報表示用パネルの他の好適例としては、４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行うこと、白色表示媒体および黒色表示媒体以外のカラー表示媒体を、赤（Ｒ）、緑（Ｇ）、青（Ｂ）のカラー表示媒体、または、シアン（Ｃ）、マゼンタ（Ｍ）、黄（Ｙ）のカラー表示媒体、から構成したこと、がある。
【００１３】
なお、本発明の好適例において、「４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行う」とは、一例として以下の状態を意味している。すなわち、４色のカラー表示手段が、互いに帯電極性が異なるカラー表示媒体の組み合わせである、（１）白色表示媒体と赤色（Ｒ）表示媒体、（２）白色表示媒体と緑色（Ｇ）表示媒体、（３）白色表示媒体と青色（Ｂ）表示媒体、（４）白色表示媒体と黒色（Ｋ）表示媒体、の４つのカラー表示媒体の組み合わせで構成されるか、（１）黒色表示媒体と赤色（Ｒ）表示媒体、（２）黒色表示媒体と緑色（Ｇ）表示媒体、（３）黒色表示媒体と青色（Ｂ）表示媒体、（４）白色表示媒体と黒色（Ｋ）表示媒体、の４つのカラー表示媒体の組み合わせで構成されるか、（１）白色表示媒体と黄色（Ｙ）表示媒体、（２）白色表示媒体とマゼンタ色（Ｍ）表示媒体、（３）白色表示媒体とシアン色（Ｃ）表示媒体、（４）白色表示媒体と黒色（Ｋ）表示媒体、の４つのカラー表示媒体の組み合わせで構成されるか、（１）黒色表示媒体と黄色（Ｙ）表示媒体、（２）黒色表示媒体とマゼンタ色（Ｍ）表示媒体、（３）黒色表示媒体とシアン色（Ｃ）表示媒体、（４）白色表示媒体と黒色（Ｋ）表示媒体、の４つのカラー表示媒体の組み合わせで構成されるか、として、互いに帯電極性が異なって組み合わせた２色の表示媒体を協働させて、カラー表示を行っている。
【発明の効果】
【００１４】
本発明によれば、４色のカラー表示手段を用いて１表示単位を構成してカラー表示をするにあたり、４色のカラー表示手段を２行２列に配置して１ドットを構成し、１セル内に４色のカラー表示手段を配置するとともに、１セル内において、走査電極と直角な方向にはカラー表示手段隣接箇所が１箇所以下としたことで、カラー表示を行うにあたり、最大反射率を低下させずに、かつ、良好な色再現性を維持することができる情報表示用パネルを得ることができる。
【発明を実施するための最良の形態】
【００１５】
まず、本発明の情報表示用パネルの基本的な構成について説明する。本発明の対象となる情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の情報表示用パネルの基本的な構成を、図１（ａ）〜（ｃ）、図２（ａ）〜（ｃ）に基づき説明する。
【００１７】
図１（ａ）〜（ｃ）に示す例では、光学的反射率を有する帯電性粒子を含んだ粒子群として構成した互いに極性の異なる少なくとも２種以上の表示媒体３（ここでは表示媒体用白色帯電性粒子３Ｗａの粒子群として構成した白色表示媒体３Ｗと表示媒体用黒色帯電性粒子３Ｂａの粒子群として構成した黒色表示媒体３Ｂを示す）を、隔壁４で形成された各セル７において、基板１に設けた電極５（ライン電極）と基板２に設けた電極６（ライン電極）とが対向直交交差して形成する対電極の間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は基板外側に設けてもよいし、基板内部に埋め込むように設けてもよい。図２（ａ）〜（ｃ）に示す例は、図１（ａ）〜（ｃ）に示す例から、部分的に内側の隔壁４を除いたものである。
【００１８】
＜カラーフィルターを用いた例について＞
本発明の情報表示用パネルでは、上述した白黒表示に加えて、各色のカラーフィルターを表示面側の電極６と基板２との間に設けるか、電極６の内側に設けるか、基板２の内部に埋め込むように設けるか、基板２の外側に設けることで、カラー表示を行っている。そして、本発明の情報表示用パネルの好適例の特徴は、４色のカラーフィルターを用いて１表示単位を構成してカラー表示をするにあたり、４色のカラーフィルターを２行２列に配置して１ドットを構成し、１セル内に４色のカラーフィルターを配置するとともに、１セル内において、走査電極と直角な方向にはカラーフィルター隣接箇所が１箇所以下としたことにある。
【００１９】
以下、本発明の特徴となるカラーフィルターの配置について説明する。
【００２０】
図３〜図６はそれぞれ本発明の情報表示用パネルにおけるカラーフィルターの配置の一例を説明するための図である。図３〜図６に示す例のいずれも、１セルに対応して４色のカラーフィルターを配置した（以下、４個／１セルとも記載する）本発明例を示している。図３〜図４に示す例において、２１は表示面側のライン電極、２２は表示面側のライン電極２１と対向直交して設けられた背面側のライン電極、２３は隔壁２４で形成されたセル、Ｒ、Ｇ、Ｂ、Ｔはそれぞれ赤、緑、青、無色の４色のカラーフィルタを示している。なお、セル２３および隔壁２４は、本来、ライン電極２１とライン電極２２との間に形成されているが、それらの位置がよくわかるように、ここでは実線で示している。
【００２１】
図３に示す例では、走査電極とする表示面側のライン電極２１に対し垂直方向に凸形の１セル２３に対応して、走査電極とする表示面側のライン電極２１に垂直に、２色のカラーフィルター（例えばＴとＢ、あるいは、例えばＢとＴ）が１セル内で隣接し、データ電極とする背面側のライン電極２２に垂直に、３色のカラーフィルター（例えばＲ、Ｔ、Ｒ、あるいは、例えばＧ、Ｂ、Ｇ）が１セル内で隣接して並ぶようセル２３を構成している。
【００２２】
図４に示す例では、階段形の１セル２３に対応して、走査電極とする表示面側のライン電極２１に垂直に、２色のカラーフィルター（例えばＴとＢ、あるいは、例えばＲとＧ）が隣接して並ぶとともに、データ電極とする背面側のライン電極２２に垂直に、２色のカラーフィルター（例えば、ＴとＲまたはＧとＢ）が隣接して並ぶようセル２３を構成している。
【００２３】
図５および図６に示す例では、直列形の１セル２３に対応して、走査電極とする表示面側のライン電極２１に平行に４色のカラーフィルター（例えば、Ｒ、Ｔ、Ｒ、Ｔ、または、Ｂ、Ｇ、Ｂ、Ｇ（図５）あるいはＧ、Ｂ、Ｇ、Ｂ（図６））が隣接して並ぶようセル２３を構成している。
【００２４】
図３〜図６に示した例では、４色のカラーフィルターを用いて１表示単位を構成してカラー表示をするにあたり、４色のカラーフィルターを２行２列に配置して１ドットを構成し、１セル内に４色のカラーフィルターを配置するとともに、１セル内において、走査電極と直角な方向にはカラフィルター隣接箇所が１箇所以下としたことで、従来の正方形のセル中に４色のカラーフィルターを２行２列に配置して１ドットを構成した例と比べて、表示媒体の横移動（本来の移動方向であるパネル垂直方向に対して水平方向の移動）を少なくすることができ、カラー表示を行うにあたり、最大反射率を低下させずに、かつ、良好な色再現性を維持することができる情報表示用パネルを得ることができる。
【００２５】
＜カラー表示媒体を用いた例について＞
本発明の情報表示用パネルの他の好適例では、上述した白黒表示の駆動例に従って、４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行っている。
【００２６】
以下の表１に、本発明の他の好適例の特徴となるカラー表示媒体の組合せ例について説明する。表１においては、４つのピクセルに配置するそれぞれ２種類のカラー表示媒体の組み合わせの例（カラー表示媒体セット１〜４）を表示しており、Ｒは赤色、Ｇは緑色、Ｂは青色、Ｋは黒色、Ｗは白色、Ｙはイエロー、Ｍはマゼンタ、Ｃはシアンを示している。また、カラー表示媒体１とカラー表示媒体２（３と４、５と６、７と８）とはそれぞれ異なる帯電極性を有している。
【００２７】
【表１】
2009115974.tif 000003
【００２８】
図７（ａ）〜（ｃ）乃至図１０はそれぞれ本発明の情報表示用パネルにおけるカラー表示媒体セットの配置の一例を説明するための図である。図７（ａ）〜（ｃ）に示す例は、それぞれ、表１の組合せ（カラー表示媒体セット１）における４個／１セル（凸形の配置）の例を示しており、図７（ａ）はその平面図を、図７（ｂ）は図５（ａ）のＡ−Ａ線に沿った断面図を、図７（ｃ）は図７（ａ）のＢ−Ｂ線に沿った断面図を、それぞれ示している。図８に示す例は、表１の組合せ（カラー表示媒体セット１）における４個／１セル（階段形の配置）の例を示している。また、図９および図１０に示す例は、表１の組合せ（カラー表示媒体セット１）における４個／１セル（直列形の配置）の例を示している。
【００２９】
なお、図１１および図１２はそれぞれ比較例を説明するための図である。図１１に示す例は、表１に示す組合せ（カラー表示媒体セット１）の例における１個／１セルの例を示しており、図１２に示す例は、表１に示す組合せ（カラー表示媒体セット１）の例における４個／１セルの例を示している。
【００３０】
図７〜図１０に示すカラー表示媒体セットを利用した例においても、図３〜図６で説明したカラーフィルターを利用した例と、表示媒体の駆動方法および得られる作用効果は同じであるため、ここでは説明しない。
【００３１】
次に、本発明における表示媒体用粒子（帯電性粒子）について説明する。表示媒体用粒子は、そのまま該表示媒体用粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
本発明では、上述した樹脂から、必要に応じて単官能モノマー、多官能モノマーを選択して組み合わせて用いている。
【００３３】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３４】
着色剤としては、以下に例示するような、有機または無機の各種、各色の顔料、染料が使用可能である。
【００３５】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３７】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の表示媒体用粒子を作製できる。
【００３９】
また、本発明の表示媒体用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４０】
更に本発明の表示媒体用粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００４１】
さらにまた、使用した表示媒体用粒子の内、最大径を有する粒子のd(0.5)に対する最小径を有する粒子のd(0.5)の比１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４２】
なお、上記表示媒体用粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００４３】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４４】
本発明者らは鋭意検討の結果、ブローオフ法において同一のキャリア粒子を用いて、表示媒体用粒子の帯電量測定を行うことにより、表示媒体用粒子の適正な帯電特性値の範囲を評価できることを見出した。
【００４５】
更に、本発明の情報表示用パネルを、気体中空間で表示媒体を駆動する乾式の情報表示用パネルとする場合、表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１、図２において、対向する基板１、基板２に挟まれる部分から、電極５、６（電極を基板内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。
【００４６】
本発明の情報表示用パネルにおける基板と基板との間隔は、表示媒体が移動できて、コントラストを維持できればよいが、通常１０〜１００μｍ、好ましくは１０〜５０μｍに調整される。
対向する基板間の気体中空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４７】
＜カラーフィルターを用いた例について＞
白色負帯電性粒子を含んで構成した白色表示媒体と黒色正帯電性粒子を含んで構成した黒色表示媒体との組合せを、隔壁で囲まれたセル内に配置し、各画素（ピクセル）にＲ（赤色）、Ｇ（緑色）、Ｂ（青色）、Ｔ（無色）の４色カラーフィルターを２行２列に配置して構成した１表示単位（１ドット）が設けられた情報表示用パネルを作製し、以下の評価を行った。
【００４８】
実際に、実施例１として図３に示す構成の情報表示用パネルと、実施例２として図４に示す構成の情報表示パネルと、実施例３として図５に示す構成の情報表示用パネルと、実施例４として図６に示す構成の情報表示用パネルとを準備するとともに、図１３（ａ）〜（ｄ）に示す構成の比較例１〜４の情報表示用パネルを準備した。準備した情報表示用パネルに対し、実際に表示を行い、スキャン方向を変えた時の色の変化、表示媒体の偏り、明るさについて評価を行うとともに、その結果に基づき総合判定を行った。なお、明るさおよび総合判定において、○を合格とし、×を不合格とした。結果を参考のコメント共に以下の表２に示す。
【００４９】
【表２】
2009115974.tif 000004
【００５０】
表２の結果から、実施例１〜４の情報表示用パネルは比較例１〜４の情報表示用パネルと比べて良好な結果が得られることがわかった。
【００５１】
＜カラー表示媒体を用いた例について＞
上述した表１における組合せ（カラー表示媒体セット１）に従って、Ｒ（赤色カラー表示媒体）、Ｇ（緑カラー表示媒体）、Ｂ（青色カラー表示媒体）、Ｋ（黒色カラー表示媒体）との４色の正帯電性粒子を含んだ粒子群として構成した４色の正帯電のカラー表示媒体と、Ｗ（白色の負帯電性粒子を含んだ粒子群として構成した負帯電の白色カラー表示媒体）との４種類の色の組合せのカラー表示媒体セットを使用した情報表示用パネルを作製し、以下の評価を行った。
【００５２】
実際に、実施例１１として図７に示す構成の情報表示用パネルと、実施例１２として図８に示す構成の情報表示用パネルと、実施例１３として図９に示す構成の情報表示用パネルと、実施例１４として図１０に示す構成の情報表示用パネルとを準備するとともに、図１４（ａ）〜（ｄ）に示す構成の比較例１１〜１４の情報表示用パネルを準備した。準備した情報表示用パネルに対し、実際に表示を行い、スキャン方向を変えた時の色の変化、表示媒体の偏り、明るさについて評価を行うとともに、その結果に基づき総合判定を行った。なお、明るさおよび総合判定において、○を合格とし、×を不合格とした。結果を参考のコメント共に以下の表３に示す。
【００５３】
【表３】
2009115974.tif 000005
【００５４】
表３の結果から、実施例１１〜１４の情報表示用パネルは比較例１１〜１４の情報表示用パネルと比べて良好な結果が得られることがわかった。
【産業上の利用可能性】
【００５５】
本発明の情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部として情報表示装置に搭載される他、駆動電源付回路に接続して表示書き換えを行った後、情報表示用パネルを取り外して用いるリライタブルペーパーとしても好適に用いられる。
【図面の簡単な説明】
【００５６】
【図１】（ａ）〜（ｃ）はそれぞれ本発明の情報表示用パネルの一例を説明するための図である。
【図２】（ａ）〜（ｃ）はそれぞれ本発明の情報表示用パネルの他の例を説明するための図である。
【図３】本発明の情報表示用パネルにおけるカラーフィルターの配置の一例を説明するための図である。
【図４】本発明の情報表示用パネルにおけるカラーフィルターの配置の他の例を説明するための図である。
【図５】本発明の情報表示用パネルにおけるカラーフィルターの配置のさらに他の例を説明するための図である。
【図６】本発明の情報表示用パネルにおけるカラーフィルターの配置のさらに他の例を説明するための図である。
【図７】（ａ）〜（ｃ）はそれぞれ本発明の情報表示用パネルにおけるカラー表示媒体の配置の一例を説明するための図である。
【図８】本発明の情報表示用パネルにおけるカラー表示媒体の配置の他の例を説明するための図である。
【図９】本発明の情報表示用パネルにおけるカラー表示媒体の配置のさらに他の例を説明するための図である。
【図１０】本発明の情報表示用パネルにおけるカラー表示媒体の配置のさらに他の例を説明するための図である。
【図１１】従来の情報表示用パネルを説明するための図である。
【図１２】従来の情報表示用パネルを説明するための他の図である。
【図１３】（ａ）〜（ｄ）はそれぞれ実施例において比較例１〜４を構成する情報表示用パネルの構成を説明するための図である。
【図１４】（ａ）〜（ｄ）はそれぞれ実施例において比較例１１〜１４を構成する情報表示用パネルの構成を説明するための図である。
【図１５】従来の情報表示用パネルにおけるカラーフィルターの配置の一例を説明するための図である。
【図１６】従来の情報表示用パネルにおけるカラーフィルターの配置の他の例を説明するための図である。
【図１７】従来の情報表示用パネルにおけるカラー表示媒体の配置の一例を説明するための図である。
【図１８】従来の情報表示用パネルにおけるカラー表示媒体の配置の他の例を説明するための図である。
【符号の説明】
【００５７】
１、２  基板
３  表示媒体（粒子群）
３Ｗ  白色表示媒体
３Ｗａ  白色表示媒体用帯電性粒子
３Ｂ  黒色表示媒体
３Ｂａ  黒色表示媒体用帯電性粒子
４  隔壁
５、６  電極
７  セル
２１  ライン電極（データ電極）
２２  ライン電極（走査電極）
２３  セル
２４  隔壁
【図１】
2009115974.tif 000006
【図２】
2009115974.tif 000007
【図３】
2009115974.tif 000008
【図４】
2009115974.tif 000009
【図５】
2009115974.tif 000010
【図６】
2009115974.tif 000011
【図７】
2009115974.tif 000012
【図８】
2009115974.tif 000013
【図９】
2009115974.tif 000014
【図１０】
2009115974.tif 000015
【図１１】
2009115974.tif 000016
【図１２】
2009115974.tif 000017
【図１３】
2009115974.tif 000018
【図１４】
2009115974.tif 000019
【図１５】
2009115974.tif 000020
【図１６】
2009115974.tif 000021
【図１７】
2009115974.tif 000022
【図１８】
2009115974.tif 000023